(57)【要約】【課題】表示領域に対応して光源を適宜に分割して、制御できる表示装置および表示方法を提供する。【解決手段】表示装置が、第１、第２の画像データそれぞれに対応する第１、第２の画像を表示する第１、第２の表示領域を有する表示部と、前記表示部と対応して配置され、かつ独立して制御可能な複数の単位発光領域を有する光源部と、前記複数の単位発光領域から、前記第１、第２の表示領域それぞれに対応する第１、第２の単位発光領域を選択する選択部と、前記第１、第２の画像データに基づいて、前記選択される第１、第２の単位発光領域を制御する第１、第２の制御信号を生成する制御信号生成部と、を具備する。【選択図】図１
2008299145.tif 000002
【特許請求の範囲】
【請求項１】
第１、第２の画像データそれぞれに対応する第１、第２の画像を表示する第１、第２の表示領域を有する表示部と、
前記表示部と対応して配置され、かつ独立して制御可能な複数の単位発光領域を有する光源部と、
前記複数の単位発光領域から、前記第１、第２の表示領域それぞれに対応する第１、第２の単位発光領域を選択する選択部と、
前記第１、第２の画像データに基づいて、前記選択される第１、第２の単位発光領域を制御する第１、第２の制御信号を生成する制御信号生成部と、
を具備することを特徴とする表示装置。
【請求項２】
前記表示部が、第１〜第３の画像データそれぞれに対応する第１〜第３の画像を表示する第１〜第３の表示領域を有し、
前記選択部が、前記複数の単位発光領域から、前記第１〜第３の表示領域それぞれに対応する第１〜第３の単位発光領域を選択し、
前記制御信号生成部が、前記第１〜第３の画像データに基づいて、前記選択される第１〜第３の単位発光領域を制御する第１〜第３の制御信号を生成する
ことを特徴とする請求項１記載の表示装置。
【請求項３】
前記第１、第２の画像が動画、静止画のいずれであるかを判定する動画・静止画判定部をさらに具備し、
前記判定の結果に基づいて、前記制御信号生成部が前記第１、第２の制御信号を生成する
ことを特徴とする請求項１または２に記載の表示装置。
【請求項４】
前記第１、第２の画像データに動きベクトルのデータが含まれるか否かによって、前記動画・静止画判定部が、前記第１、第２の画像が動画、静止画のいずれであるかを判定する、
ことを特徴とする請求項３記載の表示装置。
【請求項５】
前記第１、第２の画像データが入力される端子に基づいて、前記動画・静止画判定部が、前記第１、第２の画像が動画、静止画のいずれであるかを判定する、
ことを特徴とする請求項３記載の表示装置。
【請求項６】
前記第１、第２の表示領域内に配置され、かつ前記複数の単位発光領域それぞれに対応する複数の領域それぞれでの平均輝度に基づき、複数の単位発光領域での発光強度を決定する発光強度決定部、をさらに具備し、
前記複数の単位発光領域から、前記選択部が、前記複数の領域それぞれに対応する複数の単位発光領域を選択し、
前記判定の結果に基づいて、前記制御信号生成部が、前記選択される複数の単位発光領域を制御する複数の制御信号を生成する
ことを特徴とする請求項１乃至５のいずれか１項に記載の表示装置。
【請求項７】
前記発光強度決定部が、基準値より小さい平均輝度の領域に対応する単位発光領域での発光強度が低減し、この基準値より大きい平均輝度の領域に対応する単位発光領域での発光強度が増大するように発光強度を決定する
ことを特徴とする請求項６に記載の表示装置。
【請求項８】
前記第１、第２の画像が静止画と判定された場合、前記基準値より小さい平均輝度の領域での輝度が増大し、この基準値より大きい平均輝度の領域での輝度が減少するように、前記第１、第２の画像データを補正する画像データ補正部
をさらに具備することを特徴とする請求項７に記載の表示装置。
【請求項９】
第１、第２の画像データそれぞれに対応する第１、第２の画像を表示する第１、第２の表示領域を有する表示部と、前記表示部と対応して配置され、かつ独立して制御可能な複数の単位発光領域を有する光源部とを有する表示装置における画像表示方法であって、
前記複数の単位発光領域から、前記第１、第２の表示領域それぞれに対応する第１、第２の単位発光領域を選択するステップと、
前記第１、第２の画像データに基づいて、前記選択される第１、第２の単位発光領域を制御する第１、第２の制御信号を生成するステップと、
を具備することを特徴とする画像表示方法。
【発明の詳細な説明】
【技術分野】
【０００１】
本発明は、表示装置および表示方法に関する。
【背景技術】
【０００２】
動画像と静止画像が混在する表示画面の画質を改善した液晶表示装置の技術が開示されている。即ち、液晶パネルの走査方向に４つの分割されたバックライトを設け、映像入力信号の１フレームを走査方向に対応した４つのフレームブロックに分割し、フレームブロック毎に動画像／静止画像を判定する。そして、動画像と判定されたフレームブロックに対応するバックライトを点滅させる一方、静止画像と判定されたフレームブロックに対応するバックライトを常時点灯させる。このため、動画像には残像現象やエッジぼけが少なく、かつ静止画像にはフリッカが発生しない（例えば、特許文献１参照）。
【特許文献１】特開２００５−９９３６７号公報
【発明の開示】
【発明が解決しようとする課題】
【０００３】
ところで、表示装置上に複数の表示領域を適宜に設定し、異なる画像を表示させることがある。この場合、複数の表示領域を使用者が適宜に設定、変更できる。これら複数の表示領域それぞれでの表示内容に対応して、バックライトを分割、制御することが考えられる。
しかしながら、前述の先行技術では、バックライトの分割が固定されている。
【０００４】
上記に鑑み、本発明は、表示領域に対応して光源を適宜に分割して、制御できる表示装置および表示方法を提供することを目的とする。
【課題を解決するための手段】
【０００５】
上記の目的を達成するために本発明の一態様にかかる表示装置は、第１、第２の画像データそれぞれに対応する第１、第２の画像を表示する第１、第２の表示領域を有する表示部と、前記表示部と対応して配置され、かつ独立して制御可能な複数の単位発光領域を有する光源部と、前記複数の単位発光領域から、前記第１、第２の表示領域それぞれに対応する第１、第２の単位発光領域を選択する選択部と、前記第１、第２の画像データに基づいて、前記選択される第１、第２の単位発光領域を制御する第１、第２の制御信号を生成する制御信号生成部と、を具備することを特徴とする。
【０００６】
本発明の一態様にかかる表示方法は、第１、第２の画像データそれぞれに対応する第１、第２の画像を表示する第１、第２の表示領域を有する表示部と、前記表示部と対応して配置され、かつ独立して制御可能な複数の単位発光領域を有する光源部とを有する表示装置における画像表示方法であって、前記複数の単位発光領域から、前記第１、第２の表示領域それぞれに対応する第１、第２の単位発光領域を選択するステップと、前記第１、第２の画像データに基づいて、前記選択される第１、第２の単位発光領域を制御する第１、第２の制御信号を生成するステップと、を具備することを特徴とする。
【発明の効果】
【０００７】
本発明は、表示領域に対応して光源を適宜に分割して、制御できる表示装置および表示方法を提供できる。
【発明を実施するための最良の形態】
【０００８】
（第１実施形態）
以下、図面を参照して、本発明の第１実施形態に係る液晶表示装置１００を詳細に説明する。図１は、液晶表示装置１００の構成を示すブロック図である。
同図に示すように、液晶表示装置１００は、バックライトユニット１１０、表示部１２０、表示映像選択部１３０、映像信号合成部１４０、画像表示制御部１５０、光源制御指示部１６０、バックライト制御部１７０、領域情報メモリ１８０、入力部１９０を備える。
【０００９】
バックライトユニット１１０は、表示部１２０、特に後述の液晶パネル１２１の裏側に配置され、複数の単位光源１１１を有する。単位光源１１１は、マトリクス状に配置され、バックライト制御部１７０によって互いに独立して発光が制御可能な単位発光領域として機能する。後述のように単位光源１１１それぞれに対応して、液晶パネル１２１上に複数の領域１２４を観念することができる。即ち、これら複数の領域１２４毎に、バックライトユニット１１０上の発光強度を制御できる。
【００１０】
単位光源１１１は、互いに異なる発光色（例えば、赤（Ｒ）、緑（Ｇ）、青（Ｇ））の複数のＬＥＤ（Light Emitting Diode）を有する。ＲＧＢのＬＥＤからの光を混合することで、白色光が得られる。また、ＲＧＢの発光強度の比率を制御することで、単位光源１１１それぞれでの色温度を変更できる。
【００１１】
バックライトユニット１１０と液晶パネル１２１の間には図示はしないが一対の拡散板とこの拡散板に挟まれたプリズムシートが設けられる。拡散板は光源ユニットが供給した光を散乱、拡散させ、単位光源１１１の境界で明るさにムラが出るのを防止する。
プリズムシートは、バックライトユニット１１０から供給された光の輝度を向上させるためのものである。
【００１２】
なお、バックライトユニット１１０を構成する単位光源１１１にはＬＥＤに限定されることなく種々の発光素子を使用できる。この発光素子は、例えば、有機ＥＬ（Electro Luminescence）、や無機ＥＬ、レーザダイオード(Laser Diode)が挙げられる。
【００１３】
表示部１２０は、液晶パネル１２１、ゲートドライバ１２２、ソースドライバ１２３から主に構成されている。
液晶パネル１２１は、特別図示をしないが、それぞれ走査線とデータ線が配置される２枚のガラスの間に液晶材料をはさんで構成される。走査線とデータ線は、互いに交差し、ゲートドライバ１２２およびソースドライバ１２３によって駆動される。ゲートドライバ１２２およびソースドライバ１２３によって液晶に電圧を印加することで、液晶パネル１２１上に画像が表示される。走査線とデータ線が交差する箇所が画素に対応する。画素それぞれでＲ、Ｇ、Ｂを発色させることで、液晶パネル１２１上にカラー画像を表示できる。
【００１４】
ゲートドライバ１２２は、走査線にパルス状の電圧波形を順次出力する。ソースドライバ１２３はゲートドライバ１２２からのパルス状の電圧波形の出力に対応して、信号線にパルス状の電圧波形を出力する。
【００１５】
液晶パネル１２１に対応してバックライトユニット１１０が配置されていることから、液晶パネル１２１上に単位光源１１１それぞれと対応する複数の領域１２４を観念することができる。これらの領域１２４の境界は、単位光源１１１の境界と対応する。ここでは、領域１２４を互いに識別するため、領域１２４のＸ方向に座標Ｘ１〜Ｘ６、Ｙ方向に座標Ｙ１〜Ｙ５を付加する。例えば、座標（Ｘ１、Ｙ１）によって左上の領域１２４、座標（Ｘ６、Ｙ５）によって右下の領域１２４を表現できる。この座標（Ｘｉ、Ｙｊ）は液晶パネル１２１上の領域１２４を識別すると共に、単位光源１１１を識別する。即ち、座標（Ｘｉ、Ｙｊ）は、領域１２４および単位光源１１１の双方を特定する情報である。
【００１６】
領域１２４を適宜に選択することで、液晶パネル１２１に複数の表示領域Ａｉを設定し、異なる画像を表示することができる。
【００１７】
ここでは、第１、第２の表示領域Ａ１、Ａ２として、（Ｘ１、Ｙ２）−（Ｘ３、Ｙ４）、（Ｘ４、Ｙ２）−（Ｘ６、Ｙ４）が設定される。「（Ｘｉ、Ｙｊ）−（Ｘｋ、Ｙｌ）」によって、座標（Ｘｉ、Ｙｊ）の領域１２４、座標（Ｘｋ、Ｙｌ）の領域１２４を対角線とする表示領域Ａを規定することができる。後述のように、表示領域Ａの範囲を規定する情報「（Ｘｉ、Ｙｊ）−（Ｘｋ、Ｙｌ）」は、領域情報メモリ１８０に記憶され、この情報により映像信号合成部１４０で信号が合成され、表示領域Ａｉそれぞれに画像が表示される。
【００１８】
図２、図３は、液晶パネル１２１上に第１、第２の表示領域Ａ１、Ａ２を設定した状態の一例を表す模式図である。
図２では、第１、第２の表示領域Ａ１、Ａ２として、（Ｘ１、Ｙ２）−（Ｘ３、Ｙ４）、（Ｘ４、Ｙ２）−（Ｘ６、Ｙ４）が設定される。ここでは第１の表示領域Ａ１よりも第２の表示画像Ａ２の方が狭い。表示領域Ａ１、Ａ２それぞれに、静止画像（メール送受信画面）、と動画（ＴＶの画像）が表示されている。後述のように、表示領域Ａ１、Ａ２それぞれに対応する単位光源１１１は、点滅、常時点灯する。
図３では、第１、第２の表示領域Ａ１、Ａ２として、（Ｘ１、Ｙ１）−（Ｘ３、Ｙ５）、（Ｘ４、Ｙ１）−（Ｘ６、Ｙ５）が設定される。ここでは第１の表示領域Ａ１と第２の表示画像Ａ２は同じ広さである。表示領域Ａ１、Ａ２それぞれに、動画（ＤＶＤの画像）、と動画（ＴＶの画像）が表示されている。この場合表示領域Ａ１、Ａ２それぞれに対応する単位光源１１１は点滅する。
図４は、液晶パネル１２１上の表示領域の変形例である。すなわち、液晶パネル１２１上に第１〜第4の表示領域Ａ１〜Ａ４を設定した状態の一例を表す模式図である。
このように液晶パネル１２１上の表示領域は多数に分割できる。
図４では、第１〜第４の表示領域Ａ１〜Ａ４として、（Ｘ１、Ｙ１）−（Ｘ３、Ｙ３）、（Ｘ１、Ｙ４）−（Ｘ３、Ｙ５）、（Ｘ４、Ｙ１）−（Ｘ６、Ｙ３）、（Ｘ４、Ｙ４）−（Ｘ６、Ｙ５）が設定される。
ここでは表示領域Ａ１には静止画像（メール送受信画面）、表示領域Ａ２には動画（ＤＶＤの画像）表示領域Ａ３には動画（インターホン画像）、表示領域Ａ４には動画（ＴＶの画像）が表示されている。この場合表示領域Ａ１に対応する単位光源１１１は常時点灯する。表示領域Ａ２〜Ａ４に対応する単位光源１１１点滅する。
【００１９】
表示映像選択部１３０は、液晶表示装置１００の外部から複数の画像データを受信し、選択して出力する。例えば、第１、第２の画像データそれぞれに、ＴＶ画像データ、パーソナルコンピュータ（以下ＰＣと称す。）からの画像データを選択できる。表示映像選択部１３０は、入力部１９０からの選択情報の入力により、選択する画像データを変更できる。例えば、ＴＶの画像データの受信からＰＣの画像データ受信へと切り替える。
【００２０】
表示映像選択部１３０には、例えば、アンテナ、外部接続機器（例えば、ＨＤ−ＤＶＤプレーヤ、同レコーダ、ＤＶＤプレーヤ、同レコーダ、インターホン、ＰＣ）など）、Local Area Network：ローカルエリアネットワーク（以下「ＬＡＮ」と称す。）からの映像信号（画像データ）が入力される。アンテナからの映像信号として、地上アナログ波、地上デジタル波、衛星放送用電波などに乗せられた種々の画像データが挙げられる。
【００２１】
「画像データ」は、例えば、Ｒ、Ｇ、Ｂの画素データから構成される。これらＲ、Ｇ、Ｂの画素データそれぞれが液晶パネル１２１の画素と対応する。画素データはそれぞれの画素の明るさを示す情報としての輝度値を有する。
画像データにはElectronic Program Guide：電子番組（以下ＥＰＧと称す。）が付加されているものがある。ＥＰＧには画像データのジャンル情報（「映画」、「音楽」、「バラエティ」などを示す情報）が含まれている。
【００２２】
映像信号合成部１４０は、表示映像選択部１３０から出力される複数の画像データそれぞれに対応する複数の画像を１つの画像に合成する。映像信号合成部１４０は、合成した画像に対応する画像メモリ１４１を有する。即ち、複数の画像データそれぞれが画像メモリ１４１上の異なるアドレスに書き込まれる。領域情報メモリ１８０に記憶される表示領域Ａの範囲を表す情報「（Ｘｉ、Ｙｊ）−（Ｘｋ、Ｙｌ）」に対応するアドレスに画像データが書き込まれる。
【００２３】
このとき、受信された第１、第２の画像データでの本来の表示範囲の大きさと、第１、第２の表示領域Ａ１、Ａ２の大きさが異なる場合、映像信号合成部１４０は、第１、第２の画像データをスケーリング処理して表示領域Ａ１、Ａ２それぞれに対応させる。表示領域がＡ１〜Ａ４のときも同様である。
「スケーリング処理」とは表示領域Ａ１、Ａ２に対して小さな画像データの拡大、および表示領域Ａ１、Ａ２に対して大きい画像データの縮小を意味する。
【００２４】
画像表示制御部１５０は、映像信号合成部１４０から出力された表示用画像データを受けて表示部１２０に画像を表示させる。
画像表示制御部１５０は表示部１２０に画像を表示させる際にバックライト制御部１７０に対して画像表示信号を送出する。この画像表示信号は表示部１２０の画像の表示とバックライトユニット１１０の点灯動作を同期させるためのものである。
【００２５】
光源制御指示部１６０は、動画・静止画判定部１６１を有する。動画・静止画判定部１６１は、表示映像選択部１３０から出力される画像データが動画、静止画の何れであるかを判定するものであり、ＥＰＧ検出部１６２、動き成分検出部１６３を有する。
【００２６】
ＥＰＧ検出部１６２は入力された第１、第２画像データにＥＰＧが付加されているかを検出する。
動き成分検出部１６３は、ＥＰＧ検出部１６２によってＥＰＧが検出されなかった第１、第２画像データについて動き成分（動きベクトル）の有無を検出する。動きベクトルとは、画像が動画の場合に、基準となるフレーム(動画のある瞬間に相当する画像)からの動きを表すベクトルである。フレームを比較することで、動きベクトルが抽出される。具体的には、フレームをブロックに区分し、前のフレームとの差分が最も小さくなるブロック間の相対的位置が動きベクトルとなる。また、多くの画像信号（例えば、ＭＰＥＧ２）は、画像圧縮の関係で、動きベクトルの情報を含むことから、動きベクトルを容易に抽出できる。
【００２７】
動画・静止画判定部１６１は、ＥＰＧ検出部１６２でのＥＰＧの検出、動き成分検出部１６３での動きベクトルの検出の何れかがなされたときに、その画像データを動画の画像データと判定する。また、この何れもが検出されなかった場合、その画像データを静止画の画像データと判定し、この結果を出力する。
【００２８】
バックライト制御部１７０は、光源制御指示部１６０から出力される画像種別の判定結果および領域情報メモリ１８０の領域情報に基づいて単位光源１１１を表示領域Ａｉに対応させて制御する。
【００２９】
バックライト制御部１７０は、スキャン信号生成部１７１、定常信号生成部１７２、素子選択部１７３を有する。
【００３０】
スキャン信号生成部１７１は、単位光源１１１を点滅させるためのスキャン信号を生成する。動画のフレームの同期に対応して単位光源１１１を点滅することで（バックライトスキャン）、動画のぼけが改善される。液晶パネル１２１の動作は必ずしも速くないので、動画のフレームの開始時に本来の画像と異なる画像が表示され、動画のぼけとして認識される可能性がある。フレームの切替の初期に単位光源１１１を消灯し、フレームの切替の完了後に単位光源１１１を点灯することで、動画のぼけが改善される。
【００３１】
定常信号生成部１７２は、単位光源１１１を常時点灯させるための定常信号を生成する。静止画を表示するときには常時点灯が行われる。これは静止画像にバックライトスキャンを行うと画面表示がちらついて見えるためである（フリッカ現象）。
【００３２】
素子選択部１７３は、領域情報メモリ１８０に記憶される表示領域Ａ１、Ａ２それぞれに対応する単位光源１１１に対して、スキャン信号または定常信号を出力するものであり、複数の単位発光領域から第１、第２の単位発光領域を選択する選択部として機能する。
【００３３】
領域情報メモリ１８０は、表示領域Ａｉの範囲を表す情報「（Ｘｉ、Ｙｊ）−（Ｘｋ、Ｙｌ）」を記憶する。
図５および図６は、領域情報メモリ１８０の記憶内容の一例を表す模式図である。
表示領域Ａｉの識別子と、表示領域の範囲「（Ｘｉ、Ｙｊ）−（Ｘｋ、Ｙｌ）」とが対応して表される。なお、この例は、図5の記憶内容は図２の表示例に対応し、図６の記憶内容は図４に対応する。
【００３４】
入力部１９０は、例えば、タッチパネルや押下式のボタン群、キーボードなどである。入力部１９０は、これらに準ずるボタンを搭載した図示はしないリモコンからのコマンドを受信する受信装置（例えば赤外線受信装置）を含む。
入力部１９０は、表示映像選択部１３０に対して第１、第２の画像データを受信している接続機器の切り替えを指示する情報を入力する。
【００３５】
このようにこの実施形態の液晶表示装置１００によれば、表示部１２０の各表示領域Ａ１、Ａ２に対応して、単位光源１１１を制御できる。また、第１、第２の表示領域Ａ１、Ａ２に対応させて、表示される画像が動画であるか静止画であるかを判定し、単位光源１１１の点灯方法を適宜変えることができる。このため画像の違いによるちらつきや動画ぼけを防止することができる。
【００３６】
（第２実施形態）
以下、図面を参照して、本発明の第２実施形態に係る液晶表示装置２００を詳細に説明する。図７は、液晶表示装置２００の構成を示すブロック図である。
同図に示すように、液晶表示装置２００は、バックライトユニット１１０、表示部１２０、表示映像選択部１３０、映像信号合成部１４０、画像表示制御部１５０、光源制御指示部２６０、バックライト制御部２７０、領域情報メモリ１８０、入力部１９０を備える。
【００３７】
光源制御指示部２６０は、平均輝度算出部２６１、発光強度決定部２６２を有する。
平均輝度算出部２６１は、表示領域Ａｉそれぞれでの平均輝度を算出する。
発光強度決定部２６２は、平均輝度算出部２６１で算出された平均輝度に基づき、表示領域Ａｉそれぞれでの単位光源１１１の発光強度を決定する。算出された平均輝度が所定の基準輝度より小さければ、発光強度を基準発光強度より大きくする。
例えば、算出された平均輝度が所定の基準輝度より大きいか小さいかに応じて、異なる係数を採用し（平均輝度が基準より大きい場合：小さい係数、平均輝度が基準より小さい場合：大きい係数）、平均輝度に補正値をかけることで、発光強度を算出する。これはいわゆる黒つぶれを防止するためである。
【００３８】
全体的に明るい画像（すなわち画面全体の輝度が高い画像）と全体的に暗い画像（すなわち画面全体の輝度が低い画像）を同時に表示したときに暗い画面が見えにくくなる（黒つぶれ）。
既述の図３に示すように、表示部１２０の第１、第２表示領域Ａ１、Ａ２それぞれにＴＶのスキーの画像Ｇａと映画の画像Ｇｂが表示されている。画像Ｇａは全体的に明るい、すなわち全体的に画素データが高輝度な画像である。画像Ｇｂは全体的に暗い、すなわち全体的に画素データが低輝度な画像である。
このとき、スキー画像Ｇａに対応する単位光源１１１が高輝度に点灯されるため、映画画像Ｇｂが黒つぶれしてしまうことがある。
【００３９】
バックライト制御部２７０は、発光信号生成部２７１、２７２、素子選択部２７３を有する。
発光信号生成部２７１、２７２は、発光強度決定部２６２での決定に基づき、表示領域Ａｉそれぞれでの単位光源１１１の発光強度を制御する制御信号Ｓｉを出力する。
素子選択部２７３は、領域情報メモリ１８０に記憶される表示領域Ａｉそれぞれに対応する単位光源１１１に対して、制御信号Ｓｉを出力する。
【００４０】
（第３実施形態）
以下、図面を参照して、本発明の第２実施形態を詳細に説明する。図８は、本発明の第３の実施形態にかかる液晶表示装置３００の構成を示すブロック図である。
同図に示すように、液晶表示装置３００は、バックライトユニット１１０、表示部１２０、表示映像選択部１３０、映像信号合成部１４０、画像表示制御部１５０、光源制御指示部３６０、バックライト制御部３７０、領域情報メモリ１８０、入力部１９０を備える。
【００４１】
光源制御指示部３６０は、画像ジャンル判定部３６１、色温度決定部３６２を有する。
画像ジャンル判定部３６１は、表示領域Ａｉそれぞれに表示される画像のジャンルを判定する。例えば、ＥＰＧを用いて、「映画」、「バラエティ」、「ドラマ」のジャンルを判別できる。
【００４２】
色温度決定部３６２は、画像ジャンル判定部３６１での判定結果に基づき、表示領域Ａｉそれぞれでの単位光源１１１の色温度を決定する。算出された平均輝度が所定の基準輝度より小さければ、発光強度を基準発光強度より大きくする。例えば、例えばジャンルが「映画」ならば色温度を低く（例えば５〜６千ケルビン）、「バラエティ」ならば高く（１万ケルビン）、「ドラマ」ならば平均的（８千ケルビン）とする。ジャンル情報と色温度とを対応させたテーブルを用いて、色温度を決定できる。
【００４３】
バックライト制御部３７０は、発光信号生成部３７１、３７２、素子選択部３７３を有する。
発光信号生成部３７１、３７２は、色温度決定部３６２での決定に基づき、表示領域Ａ１、Ａ２それぞれでの単位光源１１１の発光強度を制御する制御信号Ｓｉを出力する。
素子選択部３７３は、領域情報メモリ１８０に記憶される表示領域Ａｉそれぞれに対応する単位光源１１１に対して、制御信号Ｓｉを出力する。
【００４４】
このように、輝度の補正を行わずとも、ＥＰＧに記憶されたジャンル情報に基づいて色温度を制御することによって黒つぶれを抑えることも可能である。
色温度を用いない補正値による輝度の調整は場合によっては表示部１２０の画像表示の応答速度に影響し、画像が不自然に見えてしまう可能性があるが、色温度によって黒つぶれを防止することでこの問題を解消することができる。
【００４５】
（第４実施形態）
以下、図面を参照して、本発明の第４実施形態を詳細に説明する。図９は、本発明の第４の実施形態にかかる液晶表示装置４００の構成を示すブロック図である。
同図に示すように、液晶表示装置４００は、バックライトユニット１１０、表示部１２０、表示映像選択部１３０、映像信号合成部１４０、画像表示制御部１５０、光源制御指示部４６０、バックライト制御部４７０、領域情報メモリ１８０、入力部１９０、映像信号補正部４４０を備える。
【００４６】
光源制御指示部４６０は、平均輝度算出部４６１、発光強度決定部４６２を有する。
平均輝度算出部４６１は、液晶パネル１２１上の領域１２４それぞれでの平均輝度を算出する。
発光強度決定部４６２は、平均輝度算出部４６１で算出された平均輝度に基づき、領域１２４それぞれに対応する単位光源１１１の発光強度を決定する。
ここでは、算出された平均輝度が所定の基準輝度より小さければ、発光強度を基準発光強度より小さくする。第２の実施形態では、黒つぶれを防止するために、算出された平均輝度が所定の基準輝度より小さければ、発光強度を基準発光強度より大きくしている。
【００４７】
これに対して、本実施形態では、暗状態の領域１２４に対応する単位光源１１１の発光強度を下げることで、液晶パネル１２１上でのコントラストの増大を図っている。この結果、本実施形態での発光強度決定部４６２は第２の実施形態での発光強度決定部２６２とは、単位光源１１１の発光強度の増減の方向が逆になっている。
例えば、算出された平均輝度が所定の基準輝度より大きいか小さいかに応じて、異なる係数を採用し（平均輝度が基準より大きい場合：大きい係数、平均輝度が基準より小さい場合：小さい係数）、平均輝度に補正値をかけることで、発光強度を算出する。
【００４８】
バックライト制御部４７０は、発光信号生成部４７１（１）〜４７１（ｎ）、素子選択部４７３を有する。
発光信号生成部４７１（１）〜４７１（ｎ）はそれぞれ、領域１２４に対応する。発光信号生成部４７１（１）〜４７１（ｎ）は、発光強度決定部４６２での決定に基づき、液晶パネル１２１上の領域１２４それぞれでの単位光源１１１の発光強度を制御する制御信号を出力する。
素子選択部４７３は、領域１２４それぞれに対応する単位光源１１１に対して、発光信号生成部４７１で生成される制御信号を出力する。
【００４９】
映像信号補正部４４０は、動画・静止画判定部４４１、補正処理部４４２を有する。
動画・静止画判定部４４１は、表示映像選択部１３０から出力される画像データが動画、静止の何れであるかを判定するものであり、第１実施形態での動画・静止画判定部１６１と同様の構成を採用できる。
補正処理部４４２は、動画・静止画判定部４４１で静止画と判定された画像データ（例え    ば、コンピュータからの画像データ）を補正して、第１、第２の表示領域Ａ１、Ａ２上に本来の明るさで視認されるようにする。
【００５０】
既述のように、領域１２４に対応する単位光源１１１毎に発光強度が制御され、液晶パネル１２１上の領域１２４での平均輝度が低ければ、単位光源１１１の発光強度が下げられ、コントラストの向上が図られる。表示領域Ａ１、Ａ２に静止画が表示される場合、表示領域Ａ１、Ａ２での輝度が低下し、却って視認性が低下する可能性がある。このような視認性の低下を防止するために、液晶パネル１２１での輝度（透過率）を大きくし、単位光源１１１の発光強度の低下を補う。
液晶パネル１２１での透過率Ｔとバックライトユニット１１０での発光強度Ｐをバランスさせることで、液晶パネル１２１上での明るさＢが本来の明るさＢ０と同一になるように制御している。即ち、発光強度決定部４６２で決定された発光強度Ｐが本来の発光強度Ｐ０に対して、Ｐ＝Ｐ０＊ｋの関係にあるとき、補正後の透過率Ｔは、補正前の透過率Ｔ０から、Ｔ＝Ｔ０／ｋによって算出できる。
【００５１】
（第５実施形態）
以下、図面を参照して、本発明の第５実施形態を詳細に説明する。図１０は、本発明の第５の実施形態にかかる液晶表示装置５００の構成を示すブロック図である。
同図に示すように、液晶表示装置５００は、バックライトユニット１１０、表示部１２０、表示映像選択部１３０、映像信号合成部１４０、画像表示制御部１５０、光源制御指示部５６０、バックライト制御部５７０、領域情報メモリ１８０、入力部１９０を備える。
【００５２】
光源制御指示部５６０は、入力端子判定部５６１、制御決定部５６２を有する。
入力端子判定部５６１は、表示映像選択部１３０から出力される画像データが入力された端子を判定する。端子とこの端子から入力される画像データの種別が対応する場合、端子を判別することで、画像の種別、ひいてはバックライトユニット１１０の制御内容を決定できる。各画像データの識別は、例えば外部インターフェースの端子毎に識別情報（固有のＩＤなど）を割り振ることで可能となる。
【００５３】
バックライト制御部５７０は、制御信号生成部５７１、５７２、素子選択部５７３を有する。
発光信号生成部５７１、５７２は、制御決定部５６２での決定に基づき、表示領域Ａｉそれぞれでの単位光源１１１の発光強度を制御する制御信号Ｓｉを出力する。
素子選択部２７３は、領域情報メモリ１８０に記憶される表示領域Ａｉそれぞれに対応する単位光源１１１に対して、制御信号Ｓｉを出力する。
【図面の簡単な説明】
【００５４】
【図１】液晶表示装置１００の構成を示すブロック図である。
【図２】第１、第２の表示領域Ａ１、Ａ２を設定した状態の一例を表す模式図である。
【図３】第１、第２の表示領域Ａ１、Ａ２を設定した状態の一例を表す模式図である。
【図４】第１〜第４の表示領域Ａ１〜Ａ４を設定した状態の一例を表す模式図である。
【図５】領域情報メモリ１８０の記憶内容の一例を表す模式図である。
【図６】領域情報メモリ１８０の記憶内容の一例を表す模式図である。
【図７】液晶表示装置２００の構成を示すブロック図である。
【図８】液晶表示装置３００の構成を示すブロック図である。
【図９】液晶表示装置４００の構成を示すブロック図である。
【図１０】液晶表示装置５００の構成を示すブロック図である。
【符号の説明】
【００５５】
１００…液晶表示装置、１１０…バックライトユニット、１１１…単位光源、１２０…表示部、１２１…液晶パネル、１２２…ゲートドライバ、１２３…ソースドライバ、１２４…領域、１３０…表示映像選択部、１４０…映像信号合成部、１４１…画像メモリ、１５０…画像表示制御部、１６０…光源制御指示部、１６１…動画・静止画判定部、１６２…検出部、１６３…成分検出部、１７０…バックライト制御部、１７１…スキャン信号生成部、１７２…定常信号生成部、１７３…素子選択部、１８０…領域情報メモリ、１９０…入力部。
【図１】
2008299145.tif 000003
【図２】
2008299145.tif 000004
【図３】
2008299145.tif 000005
【図４】
2008299145.tif 000006
【図５】
2008299145.tif 000007
【図６】
2008299145.tif 000008
【図７】
2008299145.tif 000009
【図８】
2008299145.tif 000010
【図９】
2008299145.tif 000011
【図１０】
2008299145.tif 000012